(57)【要約】【課題】  ユーザの意図に従って事象発生を追跡表示し、的確な事象解析を行う。【解決手段】  電力系統の各所に設置される機器の事象情報を収集し、予め決められた振分け先の複数の記憶部に時刻データとともに時系列的に記憶する情報振分け処理部２４ａと、監視対象となる前記機器の指定を受け、当該監視対象機器及び当該監視対象機器に関係する他の機器の事象情報に関するシンボルマークを連結するとともに、所要とする画面領域に前記監視対象機器及び当該監視対象機器の事象変化に関係する時刻及び計測情報を配置し、解析画面を作成する画面作成支援処理部２４ｂとを備えた系統事象解析画面作成支援装置である。【選択図】図１
2012186892.tif 000002
【特許請求の範囲】
【請求項１】
電力系統の各所に設置される機器の事象情報を収集し、予め決められた振分け先の複数の記憶部に時刻データとともに時系列的に記憶する情報振分け処理手段と、
監視対象となる前記機器の指定を受け、当該監視対象機器及び当該監視対象機器に関係する他の機器の事象情報に関するシンボルマークを連結するとともに、所要とする画面領域に必要とする前記監視対象機器及び当該監視対象機器に関係する事象変化の時刻及び計測情報を配置し、解析画面を作成する画面作成支援処理手段と
を備えたことを特徴とする系統事象解析画面作成支援装置。
【請求項２】
前記機器の事象情報は、事故検出機器による事故情報、機器動作に関する機器情報、操作機器に関する操作情報、接点動作機器の接点情報、計測機器の計測情報であって、これら情報ごとに振分け記憶するものであることを特徴とする請求項１に記載の系統事象解析画面作成支援装置。
【請求項３】
前記画面作成支援処理手段は、入力部から選択指定される監視対象機器を判断する解析対象特定手段と、この解析対象特定手段で特定された監視対象機器及び当該監視対象機器に関係する他の機器の事象情報に関するシンボルマークを連結し、かつ、所要の領域に事象変化に関する時刻及び計測情報を配置して解析画面を作成し記憶する機器情報配置手段と、この機器情報配置手段により記憶された前記監視対象機器に関する解析画面の登録リストを作成し登録する画面リスト作成登録手段とを設けたことを特徴とする請求項１に記載の系統事象解析画面作成支援装置。
【請求項４】
請求項１ないし請求項３の何れか一項に記載の系統事象解析画面作成支援装置において、
前記各機器の時刻データ及び機器名称を伴う事象情報を時系列的に並べた履歴画面と電力系統図を模擬した系統画面の中に存在する前記機器名称や前記機器シンボルマークと前記解析画面とをリンク付けする手段と、これら履歴画面、系統画面及び前記登録リストのいずれかに存在する前記機器名称又は前記機器シンボルマークを選択し、この選択した機器に関する解析画面を呼び出し表示部に表示する手段とを設けたことを特徴とする系統事象解析画面作成支援装置。
【請求項５】
請求項１ないし請求項３の何れか一項に記載の系統事象解析画面作成支援装置において、
監視対象機器に関する解析画面を読み出し表示する場合、過去に遡って解析する時刻を設定する手段と、この手段によって設定された解析時刻以後の前記時系列的な時刻ごとの前記監視対象機器に対する操作情報の事象変化によって変化するシンボルマークの色変化及び当該操作情報のシンボルマークに連なる接点情報の事象変化によって変化するシンボルマークの色変化を表示する手段と、前記時系列的な時刻データ及び当該時刻ごとに異なる前記計測情報を表示する手段とを設け、これらシンボルマークの色変化、時刻変化及び時刻変化ごとに異なる計測情報の変化から前記監視対象機器の動作状態を解析することを特徴とする系統事象解析画面作成支援装置。
【発明の詳細な説明】
【技術分野】
【０００１】
本発明の実施形態は、系統事象解析画面作成支援装置に関する。
【背景技術】
【０００２】
プラント、工場、高層ビルなどの需要家へ電力を供給する電力系統では、その系統の各所に遮断器、断路器、系統保護に関係する各種の計測器、機器が設置されている。
【０００３】
そこで、従来、電力系統の各所に設置される遮断器、断路器の開・閉状態、系統事故の発生状態、各種計測器などの計測情報、各種機器の動作情報等を取り込んで、電力系統の状態を監視するための監視装置が設けられている。
【０００４】
この監視装置は、以上のような各種の機器から直接接点等の開閉情報を取り込み、あるいは他の装置（例えば情報収集装置、ＰＬＣ（プログラマブル・ロジック・コントローラ）等）を介して送られてくる機器の事象変化情報を取り込み、補助記憶装置に記憶するとともに表示部（ヒューマンインタフェース画面）に表示する機能を備えている。
【０００５】
具体的には、監視装置は、各種の機器から直接あるいは他の装置を介して伝送されてくる情報に関して、時刻、機器名称（デバイス名）、状態等を関連付けて時系列に記憶するとともに、その時系列化された情報を履歴画面として表示したり、あるいは電力系統図を模擬した系統画面の該当個所に必要な情報を取り込んで表示している。
【０００６】
また、監視装置は、電力系統の各所に設置された計測器からの計測情報、各種機器の動作回数や応動回数（例えば遮断器などのトリップ回数）を記憶した後、表示部に計測値表示画面、機器動作回数画面、機器応動回数画面などを表示している。
【０００７】
これら表示画面は、何れも設計時の仕様に基づいて作成された表示方法により表示するものであって、予めユーザの要望によってレイアウト等が決められた固定的な画面である。
【先行技術文献】
【特許文献】
【０００８】
【特許文献１】特開平１１−１９１９２７号公報
【発明の概要】
【発明が解決しようとする課題】
【０００９】
従って、以上のような監視装置では、ユーザが電力系統に設置される各種機器の動作状態、系統事故などの事象解析を行う場合、表示部に配置される履歴画面や系統画面に表示される情報を元に事象の発生を解析することになる。
【００１０】
その結果、例えば電力系統の事故解析を行う場合、ユーザが履歴画面に存在する多数の履歴情報の中から該当事故に関連する情報だけを抽出し、これら抽出された情報と知識・経験等とを踏まえて判断し解析することから、解析作業が非常に困難となる。
【００１１】
また、予め決められた固定的な画面を用い、かつ各種機器（断路器，遮断器を含む）の動作情報（開閉状態、オン・オフ状態）や系統事故情報と事象変化の発生した時刻データなどの少ない情報の中から、ユーザが判断することになるので、十分な解析結果が得られない問題がある。
【００１２】
そこで、本系統事象解析画面作成支援装置は、既存の画面に新たに事象解析に必要な情報を収集して新規な画面を追加配置し、視覚的な事象変化を捉えて迅速に系統状態を把握可能とすることにある。
【００１３】
また、本系統事象解析画面作成支援装置は、ユーザの意図に従って監視対象機器を含む関連機器の事象変化の状態を随時追跡表示し、監視対象機器に対応する関連機器の事象変化から適切な解析結果を得ることにある。
【課題を解決するための手段】
【００１４】
実施形態によれば、電力系統の各所に設置される機器の事象情報を収集し、予め決められた振分け先の複数の記憶部に時刻データとともに時系列的に記憶する情報振分け処理手段と、監視対象となる前記機器の指定を受け、当該監視対象機器及び当該監視対象機器に関係する他の機器の収集情報に関するシンボルマークを連結するとともに、所要とする画面領域に前記監視対象機器及び当該監視対象機器に関係する事象変化の時刻及び計測情報を配置し、解析画面を作成する画面作成支援処理手段とを備えた系統事象解析画面作成支援装置である。
【図面の簡単な説明】
【００１５】
【図１】本系統事象解析画面作成支援装置の一実施形態を示す構成図。
【図２】情報管理テーブルのデータ配置の一例図。
【図３】図１に示す画像作成支援処理部の機能的なブロック構成図。
【図４】解析画面を作成するための処理手順を説明するフロー図。
【図５】機器「５２Ｒ（受電用交流遮断器）」の動作内容を解析するための解析画面の作成例を説明する模式図。
【図６】各種の画面やリストから作成された解析画面を読み出し可能とする例を説明する図。
【図７】機器「５２Ｒ（受電用交流遮断器）」の動作内容を解析するために、時系列的に解析画面内に存在する各種機器の変化状態を説明する図。
【発明を実施するための形態】
【００１６】
以下、実施形態について、図面を参照して説明する。  
図１は一実施形態に係る系統事象解析画面作成支援装置の構成を示す図である。
【００１７】
系統事象解析画面作成支援装置は、系統情報収集系１と、この系統情報収集系１で収集された情報のもとに系統事象の解析画面を作成する解析画面作成支援装置２とを備えている。
【００１８】
系統情報収集系１は、例えばオン・オフで表現できる機器状態情報、事故情報及び操作情報など出力する各種機器１１，…、機器の動作回数，応動時間，電流，電圧，電力，力率，臭気，音，温度などの計測情報を出力する計測器（検出器を含む）１２、必要な個所の画像情報を撮影し出力する監視カメラ１３と、これら機器１１〜１３の情報を所定の周期ごと、事象変化発生ごと、あるいは解析画面作成支援装置２からの収集指示に基づいて収集し、機器ＩＤ（識別データ）及び時刻データとともに解析画面作成支援装置２に送信する情報収集部１４と、系統の状態を接点情報で出力する監視対象機器１５，…とで構成される。
【００１９】
なお、系統の状態を監視するために必要な情報を出力できるものであれば、上記機器１１〜１３や情報の表現形式であるオン・オフ情報に限定されない。
【００２０】
解析画面作成用支援装置２は、必要なデータ、選択指令・処理指令などの制御指令データなどを入力するキーボード，マウスなどの入力部２１と、入出力インタフェース部２２と、機器接点情報入力部２３と、ＣＰＵで構成される情報振分け・解析画面作成部２４と、記憶装置２５と、解析画面作成用アプリケーションプログラムを記憶するプログラムメモリ２６と、ヒューマンインタフェース画面を構成する表示部２７とを含む構成である。
【００２１】
入出力インタフェース部２２は、情報収集部１４と情報振分け・解析画面作成部２４との間で情報の受渡しを行う中継通信機能を有する。
【００２２】
すなわち、入出力インタフェース部２２は、例えば情報振分け・解析画面作成部２４から収集指示を受けると情報収集部１４に伝達し、また、情報収集部１４から送られてくる機器ＩＤ，時刻データ及び収集情報を情報振分け・解析画面作成部２４に送信する。
【００２３】
機器接点情報入力部２３は、監視対象機器１５，…からの接点情報を取り込み、機器ＩＤ（識別データ）及び時刻データとともに情報振分け・解析画面作成部２４に送出する。
【００２４】
なお、各機器１１〜１３，１５から機器ＩＤや時刻データを出力できるものであれば、情報収集部１４や機器接点情報入力部２３ではそれらの機器ＩＤや時刻データをそのまま使用する。
【００２５】
情報振分け・解析画面作成部２４は、大きく分けると、情報振分け処理部２４ａと画面作成支援処理部２４ｂとを有する。
【００２６】
情報振分け処理部２４ａは、記憶装置２５または適宜な記憶部に例えば図２に示すようなデータ配列を有する情報管理テーブル２５ａが設けられ、情報収集部１４や機器接点情報入力部２３から送られてくる情報に付された機器ＩＤのもとに情報管理テーブル２５ａを参照し、振分け先を特定し、各収集情報を例えば時刻データ、機器名称とともに記憶装置２５の振分け先となる各記憶部２５−１〜２５−５に振分け記憶する。
【００２７】
画面作成支援処理部２４ｂは、入力部２１から監視対象機器指定を受け、この監視対象機器及び当該監視対象機器に関係する他の機器から収集し振分けた情報に関するシンボルマークを線分で連結するとともに、適宜な領域に監視対象機器及び当該監視対象機器に関係する収集時刻及び計測情報を配置し、解析画面を作成する処理を行う。
【００２８】
画面作成支援処理部２４ｂは、機能的には図３に示すように、入力部２１から選択指定される監視対象機器を特定する解析対象特定手段２４ｂ−１と、この解析対象特定手段２４ｂ−１で特定された監視対象機器及び当該監視対象機器に関係する他の機器の収集情報に関するシンボルマークを線分で連結し、かつ、所要の領域に収集時刻及び計測情報を配置して解析画面を作成し記憶する機器情報配置手段２４ｂ−２と、この機器情報配置手段２４ｂ−２により配置された監視対象機器の解析画面登録リストを作成し記憶する画面リスト作成登録手段２４ｂ−３とを有する。
【００２９】
記憶装置２５には、収集情報を振分け記憶するために、例えば事故情報記憶部２５−１、機器情報記憶部２５−２、操作情報記憶部２５−３、接点情報記憶部２５−４及び計測情報記憶部２５−５が設けられている。
【００３０】
事故情報記憶部２５−１には、各種機器１１，…や検出器１２から出力される例えばオン・オフの事故情報が事故発生時刻，機器ＩＤ、機器名称などとともに振分け記憶される。
【００３１】
機器情報記憶部２５−２には、各種機器１１，…のオン・オフで表現できる機器状態情報が時刻，機器ＩＤ、機器名称などとともに振分け記憶される。
【００３２】
操作情報記憶部２５−３には、各種機器１１，…のオン・オフで表現できる操作情報が時刻，機器ＩＤ、機器名称などとともに振分け記憶される。
【００３３】
接点情報記憶部２５−４には、補助リレーなどの監視対象機器１５からのオン・オフ接点情報が時刻，機器ＩＤ、機器名称などとともに振分け記憶される。
【００３４】
計測情報記憶部２５−５には、計測器（検出器を含む）１２で計測される計測情報が時刻，機器ＩＤ、機器名称などとともに振分け記憶される。
【００３５】
さらに、記憶装置２５には、各種の画面を記憶する画面データ記憶部２５−６や各種の機器シンボルマークや色データを揃えたパレットデータ記憶部２５−７が記憶されている。
【００３６】
プログラムメモリ２６には、解析画面作成用ソフトの他、従来から時刻，機器名称（デバイス名），状態などからなる収集情報を時系列に並べて履歴画面や電力系統図を模擬した系統画面を作成するソフトなどが記憶される。
【００３７】
次に、以上のような解析画面作成用支援装置２の情報振分け・解析画面作成部２４のうち、特に画面作成支援処理部２４ｂの一連の処理動作について説明する。
【００３８】
なお、ここでは、一例として、例えば機器「５２Ｒ（受電用交流遮断器）」の動作内容を解析するための解析画面の作成例について、図４及び図５を参照して説明する。
【００３９】
画面作成支援処理部２４ｂは、入力部２１から解析画面作成指示を受けると（Ｓ１）、解析画面作成用ソフトに従って解析対象特定手段２４ｂ−１を実行する。
【００４０】
解析対象特定手段２４ｂ−１は、予め設定されている登録画面１００を表示部２７に表示した後（Ｓ２）。入力部２１から解析すべき対象機器の指示が入力されたか否かを判断する（Ｓ３）。ここで、入力部２１から直接機器情報「５２Ｒ」が入力され、あるいは機器情報記憶部２５−２に格納される解析対象機器「５２Ｒ」からクリック選択により入力されたとき、解析対象機器の指示有りと判断し、解析対象機器を特定する。
【００４１】
画面作成支援処理部２４ｂは、解析対象機器を特定すると、機器情報配置手段２４ｂ−２を実行し、解析画面１０１を作成する。すなわち、機器情報配置手段２４ｂ−２は、登録画面１００の中に例えば情報管理テーブル２５ａに規定される機器ＩＤの機器「５２Ｒ」に対応する座標位置に基づき、文字付きシンボルマーク１０２及びその近傍に機器情報記憶部２５−２からオン・オフの収集情報の時刻データ１０３を配置する（Ｓ４）。
【００４２】
なお、ユーザは、入力部２１により文字付きシンボルマーク１０２や時刻データ１０３をドラッグし任意に配置位置を変更したり、またシンボルマーク１０２については、例えばパレットデータ記憶部２５−７から適宜な部品のシンボルマークを選択して設定することも可能である。
【００４３】
また、画面作成支援処理部２４ｂは、例えば選択用メッセージの選択に基づき、計測情報記憶部２５−５を選択し、該当機器「５２Ｒ」の事象発生に関する時刻及び該当機器「５２Ｒ」に関連する計測器１２の機器動作回数，応動時間、該当機器周辺の電流値，電圧値，周囲温度，臭気レベル，音圧レベルなどの計測情報を読み出し、情報管理テーブル２５ａに登録される計測器１２に関する座標位置に従い、あるいはユーザによる設定位置の指示に従い、登録画面１００の中に計測情報表示部１０４を配置する（Ｓ５）。
【００４４】
引き続き、画面作成支援処理部２４ｂは、例えば選択用メッセージの選択に基づき、接点情報記憶部２５−４から該当機器「５２Ｒ」の事象発生に関する時刻及び該当機器「５２Ｒ」が開放に至る際に動作する補助リレーなどの監視対象機器１５のオン・オフ接点情報を順次取り出し、情報管理テーブル２５ａに登録される機器ＩＤの座標位置に基づき、登録画面１００の中に当該オン・オフ接点情報を伴う複数のシンボルマークを連ねた接点情報表示部１０５を配置する（Ｓ６）。
【００４５】
なお、後記する操作情報を出力する該当操作用機器１１と該当機器「５２Ｒ」との間に幾つの補助リレーがどのように連なっているかについては、例えば電力系統図を模擬した系統画面を作成した基礎ファイルデータあるいは電力系統を監視する配電盤内部に収納される監視対象機器１５である補助リレーの個数を含む機器群に関するシーケンス処理の展開接続図のデータが記憶装置２５に記憶されているので、これらの情報に基づいて補助リレーなどの複数の監視対象機器１５のオン・オフ接点情報のシンボルマークを順次連結して配置してもよい。また、ユーザは、入力部２１からパレットデータ記憶部２５−７に格納される適宜な部品のシンボルマークの中から適宜なマークを選択し設定してもよい。
【００４６】
また、情報管理テーブル２５ａ又はパレットデータ記憶部２５−７に、例えば機器オン時に赤色，機器オフ時に緑色とする色データが設定されている場合、監視対象機器１５のオンとなった時点でシンボルマークの色を自動的に緑色から赤色に設定することが可能である。さらに、接点情報を表すシンボルマークの近傍に各監視対象機器１５のオン時の時刻データを配置することも可能である。
【００４７】
最後に、画面作成支援処理部２４ｂは、該当機器「５２Ｒ」に対する例えばトリップ動作要因，トリガ要因となる操作情報，事故情報を記憶する操作情報記憶部２５−３及び事故情報記憶部２５−１から該当機器「５２Ｒ」に対応する操作情報，事故情報を読み出し、登録画面１００の中に情報管理テーブル２５ａに登録される操作情報，事故情報を出力した機器の機器ＩＤに対応する座標位置に基づき、文字付きシンボルマークの操作情報表示部１０６を配置する（Ｓ７）。このとき、操作したときの時刻データ１０７を配置してもよい。図５において、５０Ｒは事故検出機器である受電過電流保護継電器である。
【００４８】
なお、ユーザは、入力部２１によりパレットデータ記憶部２５−７から適宜な部品のシンボルマークを選択して設定するとか、情報管理テーブル２５ａ又はパレットデータ記憶部２５−７に記憶される操作有無に応じた色データに従って色変更やトリップ動作要因，トリガ要因を発生した時刻を配置してもよい。
【００４９】
また、ユーザによる入力部２１からの指示に基づき、各シンボルをつなぐ線分，矢印１０８の向きなどを適宜に変えて配置することも可能である。
【００５０】
以上のようにして機器「５２Ｒ」の動作内容を解析するための解析画面１０１を作成すると、当該機器「５２Ｒ」の解析画面１０１を画面データ記憶部２５−６に記憶した後（Ｓ８）、画面リスト作成登録手段２４ｂ−３を実行する。画面リスト作成登録手段２４ｂ−３は、画面データ記憶部２５−６に記憶された該当機器「５２Ｒ」の解析画面１０１とリンクさせるための解析画面登録リスト１０９を作成し、適宜な記憶手段に保存する（Ｓ９）。
【００５１】
その結果、後に解析画面登録リスト１０９を表示し、そのリスト１０９の中から機器「５２Ｒ」解析を選択し画面データ記憶部２５−６に記憶される機器「５２Ｒ」の解析画面１０１を読み出して表示すれば、編集によって解析画面１０１の中の部品の再配置などの変更が比較的容易に行える。
【００５２】
なお、解析画面登録リスト１０９には、機器「５２Ｒ」の他、機器「５２Ｆ（き電用交流遮断器）」、機器「５２Ｄ（高圧配電用交流遮断器）」などの解析リストが登録されている。
【００５３】
次に、図６は解析画面の呼び出し表示例を説明する図である。
【００５４】
先ず、従来から監視装置の表示部には履歴画面２０１及び電力系統図を模擬した系統画面２０２を表示し、電力系統の事故解析を行っているが、これら履歴画面２０１及び系統画面２０２には各所の機器名称例えば機器「５２Ｒ」が存在する。
【００５５】
一方、本実施形態では、図５に示すように新たに機器「５２Ｒ（受電用交流遮断器）」の動作内容を解析するための解析画面１０１を作成し、例えば機器「５２Ｒ」に関する解析画面登録リスト１０９が作成され、適宜な記憶手段に記憶されている。
【００５６】
そこで、履歴画面２０１及び系統画面２０２の中に存在する機器例えば機器「５２Ｒ」と登録画面１００ないし解析画面１０１とをリンクさせておくことが可能である。
【００５７】
その結果、解析画面登録リスト１０９だけでなく、入力部２１を構成するマウスにて従来から作成済みである履歴画面２０１や系統画面２０２の中の例えば機器「５２Ｒ」をクリックすれば、機器「５２Ｒ」に関する解析画面１０１を表示部２７に表示することが可能である。
【００５８】
さらに、図７は、表示部２７に表示された解析画面１０１を用いて、機器「５２Ｒ」の事象解析時の代表的な例を説明する図である。
【００５９】
この例においては、履歴画面２０１、系統画面２０２及び解析画面登録リスト１０９の何れから機器「５２Ｒ」を選択し、表示部２７に機器「５２Ｒ」に関する解析画面１０１を表示する。
【００６０】
この状態において、入力部２１から過去に遡った時刻を入力設定すると、当該時刻後に操作情報記憶部２５−３に記憶される事象変化した操作情報，例えば遠方操作が行われたとすると、そのときに時刻データ３０１とその時刻に色変化（黒四角）した遠方操作のシンボルマークが表示される。
【００６１】
さらに、遠方操作による色変化（黒四角）後、時系列的に接点情報記憶部２５−４に記憶される遠方操作器に連なる例えば補助リレーなどの接点情報が時刻経過とともに例えばオンによる色変化（黒丸）及び計測情報記憶部２５−５に記憶される各種の計測情報が変化していく。従って、時刻の変化に伴って解析画面１０１の接点情報（色変化）３０２及び計測情報３０３が変化する。すなわち、時刻ごとに状態変化の伴った解析画面１０１を表示することができる。
【００６２】
なお、解析画面１０１には時系列的に事象変化した時刻データ３０１，３０４も同時に表示できる。
【００６３】
その結果、解析画面１０１に表示される各機器の状態変化から機器「５２Ｒ」の動作内容や事象の変化状態を解析することができ、より適切な解析結果を得ることができる。
【００６４】
また、例えば履歴画面２０１から解析画面１０１を呼び出し選択した場合、解析画面１０１とは異なる選択した履歴時刻の状態変化を伴った解析画面１０１´を表示することができる。
【００６５】
さらに、系統画面２０２、解析画面登録リスト１０９から解析画面１０１を呼び出し選択した場合、呼び出した時点の時刻における解析画面１０１´の解析状態を表示することができる。
【００６６】
履歴画面２０、系統画面２０２、解析画面登録リスト１０９の何れの呼び出しにおいても、過去に遡って任意の時刻の解析結果の情報を表示することが可能である。
【００６７】
従って、以上のような実施形態によれば、既存の画面に新たに事象解析に必要な情報（接点情報や計測情報）を収集して新規な画面を追加配置し、視覚的な事象変化を捉えて迅速に系統状態を把握することが可能である。
【００６８】
また、ユーザの意図に従って監視対象機器を含む関連機器の事象変化の状態を随時追跡表示し、監視対象機器に対応する関連機器の事象変化から適切な解析結果を得ることができる。
【００６９】
また、ユーザが過去に遡って時刻を設定し、監視対象機器を選択することにより、当該時刻の当該監視対象機器に関する解析画面を迅速に表示部２７に表示でき、監視対象機器の動作状態を迅速に解析することが可能である。
【００７０】
さらに、各機器の事象変化時にシンボルの色データを変化するようにすれば、瞬時に各機器の状態変化を把握することができる。
【００７１】
さらに、解析したい機器に関する図５に示すような様々の事象を一覧表示することにより、今まで解析不可能であった内容を詳細に調査することが可能である。
【００７２】
なお、上記実施形態では、図４に示す処理手順に従って収集情報を配置したが、特にステップＳ５〜Ｓ７における情報配置の順番は特に限定されるものではない。
【００７３】
また、上記実施形態は、一例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７４】
１…系統情報収集系、２…解析画面作成支援装置、１１…各種機器、１２…計測器（検出器を含む）、１４…情報収集部、１５…監視対象機器、２２…入出力インタフェース部、２３…機器接点情報入力部、２４…情報振分け・解析画面作成部、２４ａ…情報振分け処理部、２４ｂ…画面作成支援処理部、２４ｂ−１…解析対象特定手段、２４ｂ−２…機器情報配置手段、２４ｂ−３…画面リスト作成登録手段、２５…記憶装置、２５ａ…情報管理テーブル、２５−１…事故情報記憶部、２５−２…機器情報記憶部、２５−３…操作情報記憶部、２５−４…接点情報記憶部、２５−５…計測情報記憶部、２７…表示部。
【図１】
2012186892.tif 000003
【図２】
2012186892.tif 000004
【図３】
2012186892.tif 000005
【図４】
2012186892.tif 000006
【図５】
2012186892.tif 000007
【図６】
2012186892.tif 000008
【図７】
2012186892.tif 000009